(57)【特許請求の範囲】
【請求項１】
騒音計からの出力信号をＡ聴感補正特性で重み付けされた騒音信号に変換する聴感補正回路と、前記聴感補正回路からの出力信号を実効値検波することにより測定騒音値ｄＢ（Ａ）を生成する実効値検波回路と、前記実効値検波回路からの実効値騒音信号を前記測定騒音値が予め設定された基準騒音値ｄＢ（Ａ）以上のとき予備収録し、前記測定騒音値が予め設定された基準騒音値ｄＢ（Ａ）以上の状態が所定基準時間持続したとき予備収録された前記実効値騒音信号を有効データとして本収録する内部記憶媒体と、前記有効データを記録する外部記憶媒体とを備えたことを特徴とする実音モニターリングシステム。
【請求項２】
収録される前記騒音信号から風、虫等の不要騒音を除去する１個以上の濾波器を備えたことを特徴とする請求項１記載の実音モニターリングシステム。
【請求項３】
前記本収録する収録時間が予め設定された最小収録時間より長くなったとき前記有効データの記録を休止する収録制御手段を備えたことを特徴とする請求項１記載の実音モニターリングシステム。
【請求項４】
所定時間間隔毎に時間インデックスを付与して前記有効データを記録するインデックス制御手段を備えたことを特徴とする請求項１記載の実音モニターリングシステム。
【発明の詳細な説明】
【０００１】
【発明の属する技術分野】
この発明は実音モニターリングシステムに関し、特に騒音有効データを高効率で記録することができる実音モニターリングシステムに係わる。
【０００２】
【従来の技術】
従来から、騒音を録音する目的としてテープレコーダーが使用されていた。
【０００３】
【発明が解決しようとする課題】
このようなテープレコーダーを使用した録音装置では、生データ全部を記録してしまうので、後日データの必要、不必要の判断のため録音された生データを全部を聞かなければならないという難点があった。
本発明は、このような難点を解決するためになされたもので、騒音有効データを高効率で記録することができる実音モニターリングシステムを提供することを目的としている。
【０００４】
また、本発明は、信頼性の高い騒音測定を実行することができる実音モニターリングシステムを提供することを目的としている。
さらに、本発明は、長時間の騒音記録を行なうことができる実音モニターリングシステムを提供することを目的としている。
また、本発明は、騒音測定後解析時に高速の時間検索が可能で検索時間を短くすることができる実音モニターリングシステムを提供することを目的としている。
【０００５】
【課題を解決するための手段】
これらの目的を達成するため、本発明の実音モニターリングシステムは、騒音計からの出力信号をＡ聴感補正特性で重み付けされた騒音信号に変換する聴感補正回路と、聴感補正回路からの出力信号を実効値検波することにより測定騒音値ｄＢ（Ａ）を生成する実効値検波回路と、実効値検波回路からの実効値騒音信号を測定騒音値が予め設定された基準騒音値ｄＢ（Ａ）以上のとき予備収録し、測定騒音値が予め設定された基準騒音値ｄＢ（Ａ）以上の状態が所定基準時間持続したとき予備収録された実効値騒音信号を有効データとして本収録する内部記憶媒体と、有効データを記録する外部記憶媒体とを備えている。
【０００６】
また、本発明の実音モニターリングシステムは、収録される騒音信号から風、虫等の不要騒音を除去する１個以上の濾波器を備えている。
さらに、本発明の実音モニターリングシステムは、本収録する収録時間が予め設定された最小収録設定時間より長くなったとき有効データの記録を休止する収録制御手段を備えている。
【０００７】
また、本発明の実音モニターリングシステムは、所定時間間隔毎に時間インデックスを付与して有効データを記録するインデックス制御手段を備えている。
このような実音モニターリングシステムでは、騒音計からの出力信号は聴感補正回路でＡ聴感補正特性で重み付けされた騒音信号に変換される。聴感補正回路からの出力信号は実効値検波回路により実効値検波することにより測定騒音値ｄＢ（Ａ）を生成する。実効値検波回路からの実効値騒音信号は測定騒音値が予め設定された基準騒音値ｄＢ（Ａ）以上のとき予備収録し、測定騒音値が予め設定された基準騒音値ｄＢ（Ａ）以上の状態が所定基準時間持続したとき予備収録された実効値騒音信号が有効データとして内部記憶媒体で本収録される。外部記憶媒体は有効データを記録する。
【０００８】
また、本発明の実音モニターリングシステムでは、１個以上の濾波器は収録される騒音信号から風、虫等の不要騒音を除去する。
さらに、本発明の実音モニターリングシステムでは、収録制御手段により本収録する収録時間が予め設定された設定時間より長くなったとき有効データの記録を停止する。
【０００９】
また、本発明の実音モニターリングシステムでは、インデックス制御手段により所定時間間隔毎に時間インデックスを付与して有効データを記録する。
【００１０】
【発明の実施の形態】
以下、本発明による実音モニターリングシステムの好ましい一実施例を示す図面を参照して詳述する。
図１に示すように、本発明の実音モニターリングシステムは、騒音計１からの出力信号をＡ聴感補正特性で重み付けされた騒音信号に変換する聴感補正回路２と、聴感補正回路２からの出力信号を実効値検波することにより測定騒音値ｄＢ（Ａ）を生成する実効値検波回路３と、実効値検波回路３からの実効値騒音信号を測定騒音値が予め設定された基準騒音値Ｌ0ｄＢ（Ａ）（図２）以上のとき予備収録し、測定騒音値が予め設定された基準騒音値ｄＢ（Ａ）以上の状態が所定基準時間Ｔr（図２）持続したとき予備収録された実効値騒音信号を有効データとして本収録する内部記憶媒体４と、有効データを記録する外部記憶媒体５とを備えている。
【００１１】
このような騒音計１としては、例えばデンマーク国 Bruel & Kjar（ブリューエル・ケア）社製「Type 2236」を使用することができる。
聴感補正回路２は、騒音計１からの出力信号をＡ聴感補正特性で重み付けされた騒音信号に変換する機能を有する。なお、ここでＡ聴感補正特性とは、
INTERNATIONAL ELECTROTECHNICAL COMMISSION, IEC STANDARD, Publication 651, First edition 1979, Sound level meters, Table IV 及びJIS C 1502 普通騒音計(1990)、JIS C 1505 精密騒音計(1988) に規定されるもので騒音に対しＡ特性の周波数重み付けを行ない１つの値でｄＢ（Ａ）として表わした特性である。
【００１２】
実効値検波回路３は、聴感補正回路２からの出力信号を二乗検波−平均化−平方（ｒｍｓ）の手法で実効値検波することにより測定騒音値ｄＢ（Ａ）を生成する機能を有する。
内部記憶媒体４は、図２に示すように、測定騒音値が予め設定された基準騒音値Ｌ0ｄＢ（Ａ）以上の状態が所定基準時間Ｔr持続したとき予備収録された実効値騒音信号を有効データとして本収録する機能を有し、フラッシュメモリなどのＩＣメモリで構成される。内部記憶媒体４に対して測定騒音値が予め設定された基準騒音値Ｌ0ｄＢ（Ａ）以上の状態であるか否かは中央処理装置ＣＰＵの有効データレベル制御手段９において判断される。また、内部記憶媒体４に対して測定騒音値が予め設定された基準騒音値ｄＢ（Ａ）以上の状態が所定基準時間Ｔr持続するか否かは中央処理装置ＣＰＵの有効データ持続時間制御手段１０において判断される。
【００１３】
外部記憶媒体５は、有効データを記録する機能を有し、ＭＯディスク又はハードディスクで構成される。
また、本発明の実音モニターリングシステムは、収録される騒音信号から風、虫等の不要騒音を除去する例えば２個の濾波器６ａ、６ｂを備えている。濾波器６ａ、６ｂはこの実施例において聴感補正回路２の前後段に直列接続され、濾波器６ａは風等の不要騒音（例えば２０Ｈｚ以下）を除去する低域除去濾波器、濾波器６ｂは虫、鳥等のような動物等の測定すべき騒音以外の不要騒音（例えば蝉の場合、６〜８ｋＨｚ）を除去し測定すべき騒音区域の環境によって定まる高域除去濾波器である。
【００１４】
さらに、本発明の実音モニターリングシステムは、本収録する収録時間が予め設定された設定時間Ｔ5（図２）より長くなったとき有効データの記録を停止する中央処理装置ＣＰＵの収録制御手段１１を備えている。
また、本発明の実音モニターリングシステムは、所定時間間隔Ｔ4（図２）毎に時間インデックスを付与して有効データを記録する中央処理装置ＣＰＵのインデックス制御手段１２、実音モニターリングシステムの各ブロックを制御するブロック制御手段２９ａを備えている。
【００１５】
本発明の実音モニターリングシステムにおいて、騒音計１は入力増幅器（コンデイショニング・アンプ）１３、デジタル・ゲイン・コントローラ１４の順に濾波器６ａに接続されている。
実効値検波回路３は、マルチプレクサ１５を介してアナログ・デジタル変換器１６に接続されている。アナログ・デジタル変換器１６は中央処理装置ＣＰＵに接続されている。中央処理装置ＣＰＵはデジタル信号プロセッサ１７と相互に接続され、また中央処理装置ＣＰＵにはキーボード等の入力装置１８が接続されている。
【００１６】
騒音計１からの信号は入力増幅器（コンデイショニング・アンプ）１３に入力され、デジタル・ゲイン・コントローラ１４、濾波器６ａを経由し、聴感補正回路２、濾波器６ｂ、実効値検波回路３をパススルーしてマルチプレクサ１５からアナログ・デジタル変換器１６から直接中央処理装置ＣＰＵに入力される。
中央処理装置ＣＰＵは後述の制御を行なうために入力増幅器１３、デジタル・ゲイン・コントローラ１４、濾波器６ａ、聴感補正回路２、濾波器６ｂ、実効値検波回路３、マルチプレクサ１５、アナログ・デジタル変換器１６に接続されている。
【００１７】
デジタル・ゲイン・コントローラ１４は中央処理装置ＣＰＵのデジタル制御により騒音計１に固有の感度差および入力増幅器１３からその後段に至るラインのゲインを整合させる機能を有する。
中央処理装置ＣＰＵの制御により基準信号発生器２３の出力側は入力増幅器１３の入力側へ接続され、入力増幅器１３からアナログ・デジタル変換器１６の出力までのラインおよび中央処理装置ＣＰＵを経由し、外部記憶媒体５に基準信号として保存される。保存された基準信号は再生時にレベルの校正に用いられる。
【００１８】
外部記憶媒体５は、中央処理装置ＣＰＵを介してデジタル・アナログ変換器１９、濾波器２０、増幅器２１を介して音声変換器（スピーカ）２２に接続されている。増幅器２１の出力は外部出力用の端子３０を持ち、分析器等に出力できるように構成されている。中央処理装置ＣＰＵは、デジタル・アナログ変換器１９、濾波器２０に接続され、これを制御する。
【００１９】
この実音モニターリングシステムの電源として、商用電源２５から整流器２６、外部バッテリー２７または内部バッテリー２８を経由しＤＣ−ＤＣ変換器２９から実音モニターリングシステムの各部へ直流を給電する。外部バッテリー２７または内部バッテリー２８を使用して可搬型実音モニターリングが可能となる。
このように構成された実音モニターリングシステムにおいて、入力装置１８から中央処理装置ＣＰＵへの必要な入力操作がされ、基準音源〔マイクロホン校正器〕（図示せず）を装着した騒音計１からの出力信号は中央処理装置ＣＰＵからの制御により入力増幅器１３で増幅され、デジタル・ゲイン・コントローラ１４、濾波器６ａを介してマルチプレクサ１５、アナログ・デジタル変換器１６から中央処理装置ＣＰＵに入力し、これによりデジタル・ゲイン・コントローラ１４を制御し、騒音計１を含むモニターリングシステムの校正を行なう。
【００２０】
校正されたモニターリングシステムの入力信号は中央処理装置ＣＰＵの制御により濾波器６ａで風等の不要雑音（例えば２０Ｈｚ以下）が低域除去される。この場合、目的とする信号より風等のレベルが高いと、有効データレベル制御手段９において誤認識し、無効データを蓄積する事態が濾波器６ａにより回避される。濾波器６ａの機能が不要のときは中央処理装置ＣＰＵの制御により濾波器６ａはパススルーされる。
【００２１】
風等の不要騒音が除去された濾波器６ａからの信号は、中央処理装置ＣＰＵの制御により聴感補正回路２でＡ聴感補正特性で重み付けされた騒音信号に変換され、中央処理装置ＣＰＵの制御により濾波器６ｂで測定すべき信号に影響を与える虫、鳥、動物等により発生される不要騒音（例えば蝉の場合、６〜８ｋＨｚ。それぞれ固有の周波数帯域を持つ）の帯域を除去する。
【００２２】
濾波器６ｂの機能が不要のときは中央処理装置ＣＰＵの制御により濾波器６ｂはパススルーされる。
実効値検波回路３は、中央処理装置ＣＰＵの制御により聴感補正回路２からの出力信号を二乗検波−平均化−平方（ｒｍｓ）の手法で実効値検波することにより測定騒音値ｄＢ（Ａ）を生成する。
【００２３】
実効値検波回路３からの実効値騒音信号は中央処理装置ＣＰＵの制御によりマルチプレクサ１５を介してアナログ・デジタル変換器１６でアナログ・デジタル変換され、測定騒音値が予め設定された基準騒音値Ｌ0ｄＢ（Ａ）（図２）以上のとき中央処理装置ＣＰＵの有効データレベル制御手段９の制御により内部記憶媒体４に予備収録時間Ｔprだけ予備収録する（Ｔ2）。
【００２４】
しかしながら、この時間Ｔ2は測定騒音値が予め設定された基準騒音値Ｌ0ｄＢ（Ａ）以上の状態が所定基準時間Ｔr、例えば５秒間持続しないので本収録は行なわれない。測定騒音値が予め設定された基準騒音値Ｌ0ｄＢ（Ａ）以上の状態が所定基準時間Ｔr、例えば５秒持続したとき中央処理装置ＣＰＵの有効データ持続時間制御手段１０の制御（判定時間Ｔ3）により予備収録時間Ｔprだけ予備収録された実効値騒音信号を有効データとして外部記憶媒体５に本収録する。
【００２５】
中央処理装置ＣＰＵの収録制御手段１１により、本収録する収録時間が予め設定された設定時間Ｔ4、例えば３０秒毎に時間インデックスを付与して有効データを記録する。このとき、測定騒音値が予め設定された基準騒音値Ｌ0ｄＢ（Ａ）以上の状態が所定基準時間Ｔrを持続しているか否かを再度確認を行なう。なお、収録された時間を収録時間Ｔsで示す。
【００２６】
継続する騒音は数秒以上続けば、騒音の種類の判断ができることを認識しているので、連続した全ての騒音を収録する必要はない。最小収録時間後休止時間Ｔpa（Ｔ5、Ｔ5'）を設け、外部記憶媒体５の記憶容量の節約および収録後の検索、確認作業の短縮を図ることができる。
モニターリングは収録（モニター）する時間が予め設定された時間Ｔ6、例えば１時間より長くなったとき終了する。
【００２７】
中央処理装置ＣＰＵ、デジタル信号プロセッサ１７は内部記憶媒体４、外部記憶媒体５への記憶およびそれからの読み出しのデータ圧縮、伸張を行なう。
なお、ブロック制御手段２９ａは実音モニターリングシステムの各ブロックを制御する機能を実行する。
外部記憶媒体５に記憶された騒音データの再生にあたっては、入力装置１８から中央処理装置ＣＰＵへの必要な入力操作がされ、中央処理装置ＣＰＵの制御によりデジタル・アナログ変換器１９でデジタル・アナログ変換され、階段状の波形を濾波器２０でスムージングされ、増幅器２１を介して音声変換器（スピーカ）２２から騒音信号が鳴動される。
【００２８】
なお、増幅器２１に接続された外部出力用の端子３０から収録された信号を取り出して外部の分析器等で処理を行なうことができる。
このように本発明の実音モニターリングシステムは構成が軽量にシステム化され、外部バッテリー２７または内部バッテリー２８を使用して可搬型の装置が構成できる。本発明の実音モニターリングシステムは騒音または振動の無人測定システムとして使用され、測定後解析時のチェック用として利用できる。
【００２９】
上記の実施例での実音モニターリングシステムは騒音モニターリングに限定されることはない。
【００３０】
【発明の効果】
以上の説明からも明らかなように、本発明の実音モニターリングシステムによれば、騒音計からの出力信号をＡ聴感補正特性で重み付けされた騒音信号に変換する聴感補正回路と、聴感補正回路からの出力信号を実効値検波することにより測定騒音値ｄＢ（Ａ）を生成する実効値検波回路と、実効値検波回路からの実効値騒音信号を測定騒音値が予め設定された基準騒音値ｄＢ（Ａ）以上のとき予備収録し、測定騒音値が予め設定された基準騒音値ｄＢ（Ａ）以上の状態が所定基準時間持続したとき予備収録された実効値騒音信号を有効データとして本収録する内部記憶媒体と、有効データを記録する外部記憶媒体とを備えているので、騒音有効データを高効率で記録することができる。
【００３１】
また、本発明の実音モニターリングシステムによれば、収録される騒音信号から風、虫等の不要騒音を除去する１個以上の濾波器を備えているので、信頼性の高い騒音測定を実行することができる。
さらに、本発明の実音モニターリングシステムによれば、本収録する収録時間が予め設定された最小収録設定時間より長くなったとき有効データの記録を休止する収録制御手段を備えているので、長時間の騒音記録を行なうことができる。
【００３２】
また、本発明の実音モニターリングシステムによれば、所定時間間隔毎に時間インデックスを付与して有効データを記録するインデックス制御手段を備えているので、騒音測定後解析時に高速の時間検索が可能で検索時間を短くすることができる。
【図面の簡単な説明】
【図１】本発明の実音モニターリングシステムのブロック図。
【図２】本発明の実音モニターリングシステムの動作を示す説明図。
【符号の説明】
１・・・・・騒音計
２・・・・・聴感補正回路
３・・・・・実効値検波回路
４・・・・・内部記憶媒体
５・・・・・外部記憶媒体
６a、６b・・・・・濾波器
９・・・・・有効データレベル制御手段
Ｌ0・・・・・基準騒音値ｄＢ（Ａ）
１０・・・・・有効データ持続時間制御手段
Ｔr・・・・・所定基準時間
１１・・・・・収録制御手段
Ｔ5・・・・・最小収録設定時間
１２・・・・・インデックス制御手段
Ｔ4・・・・・所定時間間隔
【図１】
0003645053.tif 000002
【図２】
0003645053.tif 000003